(57)【要約】【課題】ＡＶ・ＯＡ機器などをはじめとする各種電子機器に関し、操作性に優れると共に少ない部品点数で構成された操作部を有するものを提供する。【解決手段】タッチ操作で操作座標位置の検出が可能なパッド５１を傾倒動作可能に配し、その下方中央位置に、節度感触を伴う押下スイッチ４１を一つのみ配した多方向操作部２０の構成とし、パッド５１への所定位置でのタッチ操作で機能予告がなされると共に、そのタッチ位置にかかわらずその位置で押し下げ操作するとその方向にパッド５１が傾倒動作して上記一つの押下スイッチ４１が作動され、上記予告された機能の決定がなされるようにした。【選択図】図１
2006351219.tif 000002
【特許請求の範囲】
【請求項１】
タッチ操作で操作座標位置の検出が可能なパッドと、そのパッドの下方に配された節度感触を伴う一つのみの押下スイッチと、上記パッドおよび上記押下スイッチからの信号が入力され、その入力信号の判別ならびに各種機能制御を行う制御部とを備え、上記パッドへのタッチ操作位置が上記制御部で判別されてその座標位置に応じた第一機能が作動し、そのタッチ状態から続けてさらに押し下げ操作を行うと上記パッドへの操作位置にかかわらずその方向に上記パッドが傾倒動作して上記一つの押下スイッチの状態を切り換え、そのスイッチ信号に基づく上記制御部の制御で第二機能が作動する電子機器。
【請求項２】
第一機能として、そのタッチされた座標位置に割り当てられた所定機能の予告がなされる請求項１記載の電子機器。
【請求項３】
第一機能で予告された所定機能が、第二機能で決定または実行される請求項２記載の電子機器。
【請求項４】
さらに表示部を備え、その表示部に制御部の制御で予告状態の表示がなされる請求項２記載の電子機器。
【発明の詳細な説明】
【技術分野】
【０００１】
本発明は、ＡＶ・ＯＡ機器などをはじめとする各種電子機器に関するものである。
【背景技術】
【０００２】
近年、各種電子機器は、様々なものが普及しており、特に操作性に優れたものが好まれる。また、携帯電話やデジタルスチルカメラなどの携帯式のものも好まれて使用され、それら携帯式の電子機器においては、特に小型軽量化・高機能化への要望が高く、その中で使い易さも重視される。
【０００３】
従来の電子機器について、携帯電話を例として以下に説明する。
【０００４】
図１１は従来の携帯電話の外観斜視図である。
【０００５】
同図に示すように、当該携帯電話は、第一および第二筐体１および２がヒンジ機構を介して折り畳み可能な形態に構成され、その第一筐体１の内面側には表示部３が配され、第二筐体２の上面側が各種操作をするための操作面として構成されている。そして、上記操作面への入力操作による各種制御を行う制御部（図示せず）は、第二筐体２内に配されている。
【０００６】
そして、上記操作面は、前方位置に構成された多方向操作部４および確定用操作部５と、後方位置に構成されたテンキー部６からなっている。なお、上記各部位は、第二筐体２内に配された配線基板上の押下スイッチに対し、それを作動させる操作ボタンを上方側から組み合わせて構成されている。多方向操作部４は、四つの押下スイッチを一つの操作ボタンで操作可能に構成され、操作面から突出する略円形の操作ボタンに対し、その前後左右位置をそれぞれ押圧操作すると、対応するスイッチ信号が得られるように構成されている。また、確定用操作部５は、多方向操作部４の左右位置にそれぞれ配置され、操作面から突出する操作ボタンを押し下げると、その下方に配された押下スイッチから対応するスイッチ信号が得られる構成となっている。またテンキー部６は、三列四行のマトリクス状に構成され、同じく操作面から突出する各操作ボタンをそれぞれ押圧操作すると、その下方に配された押下スイッチから対応するスイッチ信号が得られるようになっている。そして、上記各スイッチからの信号は、第二筐体２内に配された制御部に入力され、上記制御部の制御で表示部３の表示内容の制御や各種機能の作動制御などが行われるものであった。
【０００７】
そして、その使用時には、使用者が操作面に対して所定の操作をすることにより表示部３内に各種情報を表示させ、その後、所望項目や機能を選択して確定させて使用される。
【０００８】
ここで、その表示部３内における表示状態などについて説明を行う。
【０００９】
その表示部３内の表示状態として電話番号などの選択項目は、図１２に示すように、一項目一行ずつの表形式で表示されると共に、選択位置を示すカーソル７を表示させる形態が多い。このとき、各項目における情報を部分的に表示させることも多く、その隠れている部分を確認するには、多方向操作部４の左右位置のいずれかを押下操作し制御部の制御により表示内容を横方向にスクロールさせる。また、行の上下移動時には、多方向操作部４の前後位置のいずれかを押下操作して、それに応じて制御部の制御により表示部３の表示内容を縦方向にスクロールさせる。
【００１０】
そして、使用者は、上記行の上下移動などを行い所望項目にカーソル７を合わせ込み、確定用操作部５を押し下げ操作してそれに応じたスイッチ信号を制御部に送信させ、制御部の制御により選択した所望項目の確定がなされる、またはその下位の階層メニューへの移行などがなされるものであった。
【００１１】
上記仕様のものに対し、携帯電話が高機能化されていくにつれ使用者が使用できる機能なども増え、かつその使い勝手を向上させるため、表示部３内に表示される機能や選択項目などをアイコン化して表示されるものも増えてきた。
【００１２】
このものの場合には、例えば図１３に示すように、表示部３に選択位置を示すためのポインタ８が表示されると共に、各種アイコン９が所定の配列状態で表示部３内に表示される。以下、同図に示したものを事例として詳細に説明する。
【００１３】
図１３に示したものは、模式的に示す八つの各種のアイコン９が、等間隔で所謂正方形のリング状に表示されたものである。つまり、その表示された配置状態としては、上辺行に三つが等間隔で表示され、かつその間隔に合わされて上下方向にも等間隔で、中間行には中央位置を除き二つ、また下辺行には三つが並べて表示された形態となされている。そして、このものの場合は、通常、多方向操作部４への前後左右位置で得られるスイッチ信号に応じて制御部の制御により同図に矢印で示したようにポインタ８が上記操作位置に合う方向に移動されるものであった。
【００１４】
そして、この形態のものでは、多方向操作部４の前後左右への押下操作を行いポインタ８の位置を移動させ、所望のアイコン９の位置にポインタ８を合わせ込んだ後、確定用操作部５を押し下げ操作して、そのスイッチ信号に応じた制御部の制御で上記選択したアイコン９に割り当てられた機能を働かせる、またはその下位の階層メニューへの移行がなされるものであった。
【００１５】
なお、この出願の発明に関連する先行技術文献情報としては、例えば、特許文献１が知られている。
【特許文献１】特開２００１−７６５８２号公報
【発明の開示】
【発明が解決しようとする課題】
【００１６】
上記従来の電子機器である携帯電話は、薄型軽量化の進展に伴い、多方向操作部４のスイッチとして、図１４の断面図および図１５の分解斜視図に示すように、第二筐体２内の配線基板１０に四組のスイッチ固定接点１１が配され、かつそれぞれのスイッチ固定接点１１毎に、接離用のドーム状可動接点１２が装着されたものが主流として採用されていた。上記構成のものは、薄く構成できて好ましかったが、四つの個別スイッチを用いるものであるため、スイッチ四つ分の構成部品が必要で部品点数の削減が難しいという課題があった。また、その操作性が良好なものであったが、機器側からはさらなる操作性の向上が図れるものを要望されるようになってきた。
【００１７】
本出願人は、節度感触付きスイッチからなるテンキー部にタッチパネルスイッチを重ねて配し、そのタッチパネルスイッチへの摺動操作でカーソル移動を可能となす構成など、操作性向上の観点から様々な提案を行っているが、上記多方向操作部４に対して上記提案を適用し操作性の向上を図ることは可能ではあったが部品点数の削減は望めなかった。
【００１８】
本発明は、このような従来の課題を解決するものであり、操作性に優れると共に少ない部品点数で済む操作部構成とした電子機器を提供することを目的とする。
【課題を解決するための手段】
【００１９】
上記目的を達成するために本発明は、以下の構成を有するものである。
【００２０】
本発明の請求項１に記載の発明は、タッチ操作で操作座標位置の検出が可能なパッドと、そのパッドの下方に配された節度感触を伴う一つのみの押下スイッチと、上記パッドおよび上記押下スイッチからの信号が入力され、その入力信号の判別ならびに各種機能制御を行う制御部とを備え、上記パッドへのタッチ操作位置が上記制御部で判別されてその座標位置に応じた第一機能が作動し、そのタッチ状態から続けてさらに押し下げ操作を行うと上記パッドへの操作位置にかかわらずその方向に上記パッドが傾倒動作して上記一つの押下スイッチの状態を切り換え、そのスイッチ信号に基づく上記制御部の制御で第二機能が作動する電子機器であり、押下スイッチを複数個用いない操作部構成としたため、少ない部品点数で済み、その操作部への操作としても軽くタッチ操作するのみで第一機能が作動し、その後続けて押し込み操作して第二機能を作動させることができる良好な操作性のものにできるという作用を有する。
【００２１】
請求項２に記載の発明は、請求項１記載の発明において、第一機能として、そのタッチされた座標位置に割り当てられた所定機能の予告がなされるものであり、その機能を作動させるか否かを機能移行なしで判断できるため、操作性のさらなる改善が図れるという作用を有する。
【００２２】
請求項３に記載の発明は、請求項２記載の発明において、第一機能で予告された所定機能が、第二機能で決定または実行されるものであり、タッチ操作からの連続した押し込み操作で、所望の機能を作動させることができる使い勝手のよいものが得られるという作用を有する。
【００２３】
請求項４に記載の発明は、請求項２記載の発明において、さらに表示部を備え、その表示部に制御部の制御で予告状態の表示がなされるものであり、表示部内に表示される情報を視認しつつ操作できるものとなるという作用を有する。
【発明の効果】
【００２４】
以上のように本発明によれば、操作部の構成として、操作座標位置の検出が可能なパッドの下方に一つのみの押下スイッチを配し、上記パッドのタッチ状態から続けてさらに押し下げ操作を行うと上記パッドへの操作位置にかかわらずその方向に上記パッドが傾倒動作して上記一つの押下スイッチの状態を切り換えるものとしたため、部品点数が削減できる上、操作性に優れた操作部を備えた電子機器が得られるという有利な効果が得られる。
【発明を実施するための最良の形態】
【００２５】
以下、本発明の実施の形態につき、従来と同様に携帯電話を事例として説明する。なお、従来と同一構成の部分には同一符号を付して説明を省略する。
【００２６】
（実施の形態）
図１は本発明の一実施の形態による電子機器の多方向操作部の断面図、図２は同多方向操作部の分解斜視図、図３は同外観斜視図である。なお、図１は、図３におけるＸ−Ｘ線の断面を図示したものである。
【００２７】
同図に示すように、当該携帯電話の多方向操作部２０は、タッチ操作により操作座標位置の検出が可能なパッド５１と、その下方中央位置に配された一つのみの押下スイッチ４１とを備えている。
【００２８】
そして、上記多方向操作部２０は、図３に示したように、当該携帯電話において、表示部３を備えた第一筐体１にヒンジ機構を介して折り畳み可能に接続された第二筐体２５の上面前方位置に配設されている。なお、その第二筐体２５の上面側が操作面に構成されている点は従来と同じであるが、その操作面としては多方向操作部２０とその後方位置に構成されたテンキー部６とからなっている。その他の携帯電話における構成部分は従来の場合と同じである。
【００２９】
そして、上記押下スイッチ４１は、第二筐体２５内に配された配線基板２１上に配された一組のスイッチ固定接点３１と、配線基板２１上に粘着テープなどで貼り付け装着された上記スイッチ固定接点３１の接離を行う一つのドーム状可動接点１２から構成されている。この押下スイッチ４１は、ドーム状可動接点１２上から押し下げ操作されるとドーム状可動接点１２が節度感を伴って反転動作し、その中央部下面がスイッチ固定接点３１の中央接点３１Ａに接触してその外周下端が載せられた外側接点３１Ｂとの間が導通し、その操作力を除くとドーム状可動接点１２が元の上方凸型形状に自己復元して中央接点３１Ａと外側接点３１Ｂ間が再び電気的独立状態に戻るものである。
【００３０】
そして、上記操作時に節度感触を伴う押下スイッチ４１上に配されたパッド５１も図示は省略するが配線基板２１上の所定パターンに電気的に接続されており、そのパターンを介して出力信号の取り出しなどが可能となっている。また、パッド５１の下面中央部には、一つの下方に突出する押圧突起６０が形成または保持されており、その押圧突起６０は、ドーム状可動接点１２の中央部に位置を合わせて載せられている。この押圧突起６０は、押下スイッチ４１側に配されてその上端にパッドが載せられていてもよい。
【００３１】
そして、上記パッド５１は、その中央位置が上記押下スイッチ４１位置に合わせ込まれ詳細構成の図示は省略するが全体的に傾倒動作可能なように配されている。このパッド５１としては、第二筐体２５における前後左右方向側の四箇所の位置に加え、その中間角度位置の合計八箇所が少なくとも検出できるものを用いている。
【００３２】
パッド５１の構成としては、例えば図１および図２に示したもののように、上下に所定間隔をあけて上基材５２と下基材５３とが対向して配され、その対向面間に座標位置検出可能な素子が形成されているものがあげられ、以下同図で示したものを事例として詳細な説明を行う。
【００３３】
同図に示したものは、略円形状に形成されたＳＵＳ製の導電金属薄板からなる平坦な下基材５３と、それと略同形でテール部５２Ａが一体に設けられている可撓性を有するＰＥＴフィルム製の上基材５２とが、粘着層を介し所定間隔を空けて対向配置され、上基材５２の下面側に素子としてなる馬蹄形の抵抗素子５４が形成された構成のものである。
【００３４】
下基材５３に所定間隔をあけて対峙している抵抗素子５４は、図４に示すように、その端部５４Ａ，５４Ｂが抵抗の一端子側と三端子側に相当し、両者はテール部５２Ａ上でそれぞれ導電部５５Ａ，５５Ｂを介して外方に引き出されている。また、抵抗の二端子側に相当する抵抗値取出部５６は、馬蹄形で構成される円形領域外の位置に配され、同じくテール部５２Ａ上で導電部５５Ｃを介して外方に引き出されている。その抵抗値取出部５６は下基材５３に短絡されている。また、その一端子側と三端子側の間で素子の形成されない位置は、八方向の多方向操作部として機能しなくてよい角度方向に向けられている。
【００３５】
上記構成のパッド５１は、所謂可変抵抗器の構成に準ずるものであり、その動作としては、一端子側と三端子側との間に導電部５５Ａ，５５Ｂを介して抵抗素子５４に所定電圧が印加された状態で、抵抗素子５４が形成されている上基材５２上の部分に指を載せるなどの操作をすると、その操作部分に応じた箇所が部分的に下方に撓んで当該抵抗素子５４の箇所が下基材５３に接触した状態となり、上記接触位置から下基材５３を通じ抵抗値取出部５６および導電部５５Ｃを介して出力電圧値が読み取れて抵抗分圧比に応じた操作位置の特定ができるものである。
【００３６】
そして、６１は、中央位置が押下スイッチ４１位置に合わされてパッド５１上に配された略円板状の操作ボタンであり、上部に突出する上方円形部は、図３に示したように、第二筐体２５の円形孔から上方に突出している。なお、操作ボタン６１は第二筐体２５の上ケース２５Ａなどによって上方への抜け止めがなされていると共に、回転しないように規制されて配されている。
【００３７】
そして、この操作ボタン６１も第二筐体２５に対し上下動および傾倒動作可能に配されているが、その詳細構成の図示はパッド５１同様に省略する。
【００３８】
そして、操作ボタン６１の下面には、図５に示すように、下方側に突出する八つの球状突起６２Ａ〜６２Ｈが４５度ピッチで設けられており、その球状突起６２Ａ〜６２Ｈ同士を繋ぐ仮想円形リングは、抵抗素子５４と同じ径として設定されている。そして、第二筐体２５の前後左右方向の位置に、球状突起６２Ｂ，６２Ｄ，６２Ｆ，６２Ｈがそれぞれ位置し、かつ各球状突起６２Ａ〜６２Ｈが上基材５２を介して抵抗素子５４が形成されている位置に対応するようにして操作ボタン６１は上基材５２上に配されている。
【００３９】
以上のように、当該多方向操作部２０は構成されている。
【００４０】
そして、当該多方向操作部２０の押下スイッチ４１およびパッド５１からの出力は、図６のブロック図に示すように、所定の機能制御を行う制御部８１のデジタルポート８１Ａおよびアナログデジタル変換ポート８１Ｂに入力されている。なお、この制御部８１は、第二筐体２５内に配され、その他の機能処理をも行うが、当該多方向操作部２０での操作説明で必要となる部分のみを接続状態として図示し、その他の機能部位との接続状態の図示や説明は省略する。そして、制御部８１は、上記各ポート８１Ａ，８１Ｂに入力される多方向操作部２０からの信号を基として表示部３の表示内容等を制御する機能を備えている。
【００４１】
ここで、上記多方向操作部２０の動作を含めて、その操作事例の説明をする。
【００４２】
まず、表示部３に、各機能の割り当てなどがそれぞれなされている各種複数のアイコン９が所定の配列状態で表示された状態とする。以下には、従来同様、表示部３内に八つの各種のアイコン９が等間隔で所謂正方形のリング状で表示された場合の事例について説明する。このとき、本発明によるものの場合では図７に示す状態となり、従来の場合と異なって表示部３内に選択位置を指し示すポインタは表示されない。
【００４３】
その状態で、使用者は、所望のアイコン９の位置に応じた操作ボタン６１上の位置に指を載せるなどのタッチ操作を行う。例えば、所望のアイコン９Ａが、表示部３の左下に表示された図７で白抜き星型に表記したものである時には、操作ボタン６１の上方円形部の左後ろ４５度の上面端部に指を載せる。これにより、図８に示すように、操作ボタン６１がその方向に若干傾倒動作して、そのタッチ操作箇所に対応する下面位置に設けられた球状突起６２Ａが下がり上基材５２を部分的に撓めて当該位置に応じた抵抗素子５４の箇所が下基材５３に部分的に接触した状態となる。このとき上述したように抵抗素子５４には電圧が印加されており、上記接触位置から下基材５３を通じ抵抗値取出部５６および導電部５５Ｃを介して出力電圧値が制御部８１のアナログデジタル変換ポート８１Ｂに入力されて制御部８１で判別され操作位置の特性がなされる。なお、そのタッチ操作の際に押下スイッチ４１にも押圧突起６０を介して若干の押し下げ力が加わるが、押下スイッチ４１はＯＦＦ状態を維持している。
【００４４】
そして、その操作位置の特定結果を基に制御部８１の制御で、対象となる上記所望のアイコン９Ａは、割り当てられた機能の予告表示状態に移行される。図９では、その予告表示状態として拡大ハイライト表示となされたものを図示している。なお、その予告表示状態は、上記箇所へのタッチ操作をやめてパッド５１からの信号が停止すると、制御部８１の制御で図７の元の表示状態に戻るようになっている。
【００４５】
このように、本発明によるものの操作としては、まずは指を操作ボタン６１上に載せるなどのタッチ操作であるため、従来の押し込み操作と比べると簡易に操作できるものとなる。また、それに応じて作動する第一機能として上記拡大ハイライト表示などの予告表示をなし、そのタッチ操作をやめるとその予告を解除するものとしたため、機能移行させることなくアイコン内容の確認などが視認しつつ確認できる操作性に優れたものにできる。
【００４６】
そして、上記拡大ハイライト表示させた所望のアイコン９Ａを決定または確定させる際の使用者の操作としては、上記操作ボタン６１上へのタッチ操作から同じ位置を続けて押し込み操作する。これにより、図１０に示すように、操作ボタン６１は、操作された側とは反対側のフランジ部の上端部が支点となってさらに傾倒動作すると共に、パッド５１自身も上記部分的な接触状態を維持しつつ球状突起６２Ａで押されて全体的に傾倒動作していき、押圧突起６０を介して下基材５３で押下スイッチ４１が押し下げられ、押下スイッチ４１は節度感触を伴いつつＯＮ状態に切り換わる。
【００４７】
そして、押下スイッチ４１からの信号を受けた制御部８１の制御で上記所望のアイコン９Ａに割り当てられた機能が働く、またはその下位の階層メニューへの移行などがなされる。
【００４８】
その後、操作ボタン６１から指を離すと、押下スイッチ４１のドーム状可動接点１２が元の上方凸型のスイッチＯＦＦ状態に自己復元してパッド５１を押し戻し、パッド５１および操作ボタン６１も操作前の状態に戻る。
【００４９】
なお、その他の操作位置での操作状態も上記と同様で、操作ボタン６１へのタッチ操作でその操作位置に対応するアイコン９が制御部８１の制御により拡大ハイライト表示などの予告表示に移行され、さらにそのタッチ箇所で押し込み操作されると操作ボタン６１およびパッド５１が傾倒動作して上記一つのみの押下スイッチ４１がパッド５１で押し下げられて制御部８１の制御によりその決定または確定などがなされる。
【００５０】
このように、当該構成のものは、押下スイッチ４１を一つのみとして、操作位置にかかわらず上記一つの押下スイッチ４１を、傾倒するパッド５１そのもので押し下げて切り換える構成としたことにより、構成部品点数の削減が図れた多方向操作部２０を備えたものに構成することができる。そして、その多方向操作部２０は基本的には薄いパッド５１を付加する構成であるため、薄型化の維持も容易である。さらにパッド５１へのタッチ操作で、所望アイコンの予告をなすようにしたため、迅速な操作が可能となって操作性の向上が図られた使い勝手のよいものにできる。
【００５１】
なお、パッド５１の傾倒動作状態としては、上記に説明したように操作された側とは反対側の操作ボタン６１の上端位置を支点としつつ傾倒していって押下スイッチ４１を押し下げる方式以外に、パッド５１の操作された側が先に配線基板２１上に接し、次にそこを支点としてその反対側が下がっていって押下スイッチ４１を押し下げるという傾倒動作方式などであってもよい。
【００５２】
なお、パッド５１は、上記構成のものに限定されることはなく、静電方式のものなどであってもよい。また、その操作検出方向も八方向に限られない。
【００５３】
また、押下スイッチ４１も、他の構成のものであってもよく、さらには電子部品として完成された薄型のプッシュスイッチを配線基板上に実装して構成してもよい。
【００５４】
なお、上記には、携帯電話を事例として説明したが、近年では、デジタルスチルカメラなどの各種電子機器でも表示部内にメニューを表示させ、その中から所望の機能などを選択して実行させるものも増えていることから、当該操作部の構成や制御方法などを、携帯電話以外の各種電子機器の操作部に適用してもよい。
【００５５】
また、上記に第一機能として説明した予告表示の事例としても拡大ハイライト表示以外であってもよく、さらには表示以外のその他の予告、例えば音声や振動を発生させて告知するなどとしてもよく、それらであれば表示部を備えていない電子機器でも上記効用を備えたものに実現することができる。なお、簡易な操作で作動する第一機能を予告以外に用いた電子機器としてもよい。
【産業上の利用可能性】
【００５６】
本発明による電子機器は、操作座標位置の検出が可能なパッドの下方に一つのみの押下スイッチを配し、上記パッドのタッチ状態から続けてさらに押し下げ操作を行うと上記パッドへの操作位置にかかわらずその方向に上記パッドが傾倒動作して上記一つの押下スイッチの状態を切り換える構成の操作部を備えたものとしたため、部品点数を削減できる上、操作性にも優れるものにできるという効果を有し、ＡＶ・ＯＡ機器などをはじめとする各種電子機器の操作部等に有用である。
【図面の簡単な説明】
【００５７】
【図１】本発明の一実施の形態による電子機器の多方向操作部の断面図
【図２】同多方向操作部の分解斜視図
【図３】同外観斜視図
【図４】同多方向操作部におけるパッドの上基材の下面図
【図５】同多方向操作部における操作ボタンの下面図
【図６】同多方向操作部、制御部、表示部の接続状態を示すブロック図
【図７】同表示部内に各選択項目などがアイコン化されて表示された状態を模式的に示す図
【図８】同操作状態を説明する断面図
【図９】同表示部内の所望のアイコンが予告表示された状態を模式的に示す図
【図１０】同操作状態を説明する断面図
【図１１】従来の携帯電話の外観斜視図
【図１２】同表示部内に各選択項目などが行列形式で表示された状態を模式的に示す図
【図１３】同表示部内に各選択項目などがアイコン化されて表示された状態を模式的に示す図
【図１４】同多方向操作部のスイッチ部分の断面図
【図１５】同分解斜視図
【符号の説明】
【００５８】
１  第一筐体
３  表示部
６  テンキー部
９  アイコン
９Ａ  所望のアイコン
１２  ドーム状可動接点
２０  多方向操作部
２１  配線基板
２５  第二筐体
２５Ａ  上ケース
３１  スイッチ固定接点
３１Ａ  中央接点
３１Ｂ  外側接点
４１  押下スイッチ
５１  パッド
５２  上基材
５２Ａ  テール部
５３  下基材
５４  抵抗素子
５４Ａ，５４Ｂ  端部
５６  抵抗値取出部
５５Ａ，５５Ｂ，５５Ｃ  導電部
６０  押圧突起
６１  操作ボタン
６２Ａ〜６２Ｈ  球状突起
８１  制御部
８１Ａ  デジタルポート
８１Ｂ  アナログデジタル変換ポート
【図１】
2006351219.tif 000003
【図２】
2006351219.tif 000004
【図３】
2006351219.tif 000005
【図４】
2006351219.tif 000006
【図５】
2006351219.tif 000007
【図６】
2006351219.tif 000008
【図７】
2006351219.tif 000009
【図８】
2006351219.tif 000010
【図９】
2006351219.tif 000011
【図１０】
2006351219.tif 000012
【図１１】
2006351219.tif 000013
【図１２】
2006351219.tif 000014
【図１３】
2006351219.tif 000015
【図１４】
2006351219.tif 000016
【図１５】
2006351219.tif 000017